(57)【特許請求の範囲】
【請求項１】
ファイバテープ心線と、このファイバテープ心線の周囲を囲むチューブとからなるチューブファイバをクランプするチューブファイバクランプ装置において、
クランプ本体を設け、このクランプ本体に上記チューブファイバの底部を支持する支持溝を設け、更にクランプ本体にクランプ方向，アンクランプ方向へ揺動可能なクランプ蓋の基部を連結し、チューブファイバを上記クランプ本体の所定位置にセットするため、上記支持溝に上記チューブファイバの一側部を支持する第１セット部材とチューブファイバの他側部を支持する第２セット部材とを対向して設け、上記チューブファイバを上記第１セット部材と上記第２セット部材の間に押し込みつつ、前記チューブファイバの底部を前記支持溝に支持せしめると、上記第１セット部材と上記第２セット部材の間隔が前記チューブの厚さの２倍と前記ファイバテープ心線のテープ幅を合わせた長さと同じになるように構成してなることを特徴とするチューブファイバ用クランプ装置。
【請求項２】
前記クランプ蓋のクランプ面における第１及び第２セット部材に対応する位置に、前記チューブファイバのチューブにおけるセットによって盛り上がった部分が逃げる逃げ凹部を設けてなることを特徴とする請求項１に記載のチューブファイバ用クランプ装置。
【請求項３】
前記第１セット部材は第１セットピンであり、前記第２セット部材は第２セットピンであって、第１セットピンと第２セットピンからなるセットピン組を少なくとも２組以上備えてなることを特徴とする請求項１又は請求項２に記載のチューブファイバ用クランプ装置。
【請求項４】
前記支持溝は支持平面を有し、前記支持溝の支持平面の一部分に支持平面に対して垂直方向の窪みを形成し、前記クランプ蓋のクランプ面にこの窪みを協働して前記チューブファイバの一部分を曲げ成形する曲げ成形部を設けてなることを特徴とする請求項１〜請求項３のうちのいずれかの請求項に記載のチューブファイバ用クランプ装置。
【発明の詳細な説明】
【０００１】
【発明の属する技術分野】
本発明は、チューブファイバ（ファイバテープ心線と、このファイバテープ心線の周囲を囲むチューブとからなる）の端末処理（被覆除去、カッティング等）を行う際に用いられ、チューブファイバをクランプするチューブファイバ用クランプ装置に関する。
【０００２】
【従来の技術】
図７を参照するに、従来のチューブファイバ用クランプ装置１０１は図６に示すようなチューブファイバ１をクランプする装置であって、以下簡単に説明する。ここで、チューブファイバ１は、ファイバテープ心線３と、このファイバテープ心線３を囲むチューブ５とからなっており、更にファイバテープ心線３は並列に一括被覆を施した複数の光ファイバ心線３ｆからなる。
【０００３】
すなわち、チューブファイバ用クランプ装置１０１はクランプ本体１０３をベースとして備えており、このクランプ本体１０３の上側（図７において上側）にはチューブファイバ１の底部を支持する支持溝１０５が設けてあって、この支持溝１０５は支持平面１０７を有している。ここで、クランプ動作によって押し潰されたチューブファイバ１のチューブ５が支持溝１０５からはみ出さないように、支持溝１０５の溝幅は押し潰されたチューブ５の幅よりも大きくなるように構成してある。
【０００４】
又、クランプ本体１０３には、クランプ方向，アンクランプ方向へ揺動可能な複数のクランプ蓋１０９の基部が設けてあり、各クランプ蓋１０９の先端部はクランプ本体１０３に埋設したマグネット１１１に磁着可能にそれぞれ構成してある。尚、各クランプ蓋１０９のクランプ面１１３は平面状にそれぞれ構成してある。
【０００５】
従って、ファイバテープ心線３のテープ幅方向と支持溝１０５の溝幅方向がほぼ平行になるように、チューブファイバ１の底部を支持溝１０５に支持せしめる。そして、クランプ蓋１０９をクランプ方向へ揺動させることにより、チューブファイバ用クランプ装置１０１によりチューブファイバ１をクランプする。更に、チューブファイバ１をクランプした状態の下で、チューブファイバ１に端末処理（被覆除去、カッティング等）を行う。
【０００６】
【発明が解決しようとする課題】
ところで、支持溝１０５の溝幅は、上述のごとく押し潰されたチューブファイバ１のチューブ５の幅よりも大きくなるように構成してあるため、チューブファイバ１の底部を支持溝１０５に支持せしめても、チューブファイバ１をクランプ本体９の所定位置に移動不能にセットすることができない。そのため、チューブファイバ用クランプ装置１０１によりチューブファイバ１をクランプすると、図１０に示すように上方向（図１０において紙面に向かって表方向）から見たときにチューブファイバ１のファイバテープ心線３が支持溝１０５の溝長手方向（図１０において上下方向）に対して傾いてしまい、チューブファイバ１の適切な端末処理を行うことが困難になり、端末処理時に光ファイバ心線３ｆが損傷してしまう場合がある。
【０００７】
【課題を解決するための手段】
請求項１に記載の発明にあっては、ファイバテープ心線と、このファイバテープ心線の周囲を囲むチューブとからなるチューブファイバをクランプするチューブファイバクランプ装置において、
クランプ本体を設け、このクランプ本体に上記チューブファイバの底部を支持する支持溝を設け、更にクランプ本体にクランプ方向，アンクランプ方向へ揺動可能なクランプ蓋の基部を連結し、チューブファイバを上記クランプ本体の所定位置にセットするため、上記支持溝に上記チューブファイバの一側部を支持する第１セット部材とチューブファイバの他側部を支持する第２セット部材とを対向して設け、上記チューブファイバを上記第１セット部材と上記第２セット部材の間に押し込みつつ、前記チューブファイバの底部を前記支持溝に支持せしめると、上記第１セット部材と上記第２セット部材の間隔が前記チューブの厚さの２倍と前記ファイバテープ心線のテープ幅を合わせた長さと同じになるように構成してなることを特徴とする。
【０００８】
請求項１に記載の発明特定事項によると、ファイバテープ心線のテープ幅方向を支持溝の溝幅方向にほぼ平行になるようにした状態の下で、チューブファイバを第１セット部材と第２セット部材の間に押し込みつつ、チューブファイバの底部を支持溝に支持せしめる。ここで、第１セット部材と第２セット部材の間隔がチューブの厚さの２倍とファイバテープ心線のテープ幅を合わせた長さと同じになるように構成したことから、チューブファイバをクランプ本体の所定位置に移動不能にセットすることができる。そして、クランプ蓋をクランプ方向へ揺動させることにより、チューブファイバ用クランプ装置によりチューブファイバをクランプすることができる。更に、チューブファイバをクランプした状態の下で、チューブファイバに対して端末処理（被覆除去、カッティング等）を行う。
【０００９】
請求項２に記載の発明にあっては、請求項１に記載の発明特定事項の他に、前記クランプ蓋のクランプ面における第１及び第２セット部材に対応する位置に、前記チューブファイバのチューブにおけるセットによって盛り上がった部分が逃げる逃げ凹部を設けてなることを特徴とする。
【００１０】
請求項２に記載の発明特定事項によると、請求項１に記載の発明特定事項による作用の他に、チューブファイバを第１セット部材と第２セット部材の間に押し込むことによりチューブファイバのチューブには盛り上がった部分が生じるが、クランプ蓋をクランプ方向へ揺動させると、チューブファイバのチューブにおける盛り上がった部分は逃げ凹部に逃げる。
【００１１】
請求項３に記載の発明にあっては、請求項１又は請求項２に記載の発明特定事項の他に、前記第１セット部材は第１セットピンであり、前記第２セット部材は第２セットピンであって、第１セットピンと第２セットピンからなるセットピン組を少なくとも２組以上備えてなることを特徴とする。
【００１２】
請求項３に記載の発明特定事項によると、請求項１又は請求項２に記載の発明特定事項による作用と同様の作用を奏する。
【００１３】
請求項４に記載の発明にあっては、請求項１〜請求項３のうちのいずれかの請求項に記載の発明特定事項の他に、前記支持溝は支持平面を有し、前記支持溝の支持平面の一部分に支持平面に対して垂直方向の窪みを形成し、前記クランプ蓋のクランプ面にこの窪みを協働して前記チューブファイバの一部分を曲げ成形する曲げ成形部を設けてなることを特徴とする。
【００１４】
請求項４に記載の発明特定事項によると、請求項１〜請求項３のうちのいずれかの請求項に記載の発明特定事項による作用の他に、クランプ蓋をクランプ方向へ揺動させることにより、チューブファイバの一部分に支持平面に対して垂直方向の曲げを成形せしめつつ、チューブファイバをクランプすることができる。ここで、ファイバテープ心線は、テープ幅方向と同じ方向に曲がったりすることがなく、テープ幅方向に対して垂直方向へ曲がるという特性を有しているため、チューブファイバの一部分に支持平面に対して垂直方向の曲げが成形されると、ファイバテープ心線の一部分にも当然のごとく支持平面に対して垂直方向の曲げが成形され、ファイバテープ心線の周囲に外方向から不定の力が作用しても、チューブ内においてファイバテープ心線が回転することがなく、ファイバテープ心線のテープ幅方向と支持溝の溝幅方向の平行状態を保つことができる。
【００１５】
【発明の実施の形態】
以下、本発明の実施の形態について図面を参照して説明する。
【００１６】
図１を参照するに、本発明の実施の形態に係るチューブファイバ用クランプ装置１は図６に示すようなチューブファイバ１をクランプする装置であって、クランプ本体９をベースとして備えている。このクランプ本体９の上側（図１において上側）にはチューブファイバ１を支持する支持溝１１が設けてあり、この支持溝１１は支持平面１３を有している。又、クランプ本体９にはクランプ方向，アンクランプ方向へ揺動可能なクランプ蓋１５の基部がヒンジを介して連結してあり、このクランプ蓋１５の先端部はクランプ本体９に埋設したマグネット１７に磁着可能に構成してある。
【００１７】
ここで、クランプ本体１５をクランプ方向へ揺動させてチューブファイバ１をクランプすると、チューブファイバ１には支持平面１３に対して垂直方向の曲げが成形されるようにするため、支持溝１１の支持平面１３の一部分には支持平面１３に対して垂直方向の窪み（凹部）１９が形成してあると共に、クランプ蓋１５のクランプ面２１にはこの窪み１９と協働してチューブファイバ１の一部分を曲げ成形する曲げ成形部２３が設けてある。又、チューブファイバ１の一部分を容易に曲げ成形するため、窪み１９は湾曲状に窪んでおり、曲げ成形部２３は湾曲状に突出してある。尚、支持溝１１の支持平面１３の一部分に窪み１９を形成する代わりに凸部を形成してもよく、この場合には曲げ成形部２３は窪んで構成される。
【００１８】
更に、クランプ本体９にはクランプ方向，アンクランプ方向へ揺動可能なサブクランプ蓋２５の基部がヒンジを介して連結してあり、このサブクランプ蓋２５の先端部はクランプ本体９に埋設したマグネット２７に磁着可能に構成してある。又、サブクランプ蓋２５のクランプ面２９は平面状に構成してある。
【００１９】
上記支持溝１１におけるクランプ蓋１５に対応する位置（クランプした際にクランプ蓋１５の下側になる位置）であって窪み１９の前側（図１において左斜め下側）及び後側には、チューブファイバ１をセットする２組のセットピン組３１が設けてある。各セットピン組３１は、図１及び図２に示すように、チューブファイバ１の左側部（図１において左斜め上側部、図２において左側部）を支持する第１セットピン３３と、この第１セットピン３３に対向して設けられかつチューブファイバ１の右側部を支持する第２セットピン３５とをそれぞれ備えている。ここで、チューブファイバ１を各セットピン組３１における第１セットピン３３と第２セットピン３５の間に押し込みつつ、チューブファイバ１の底部を支持溝１１に支持せしめると、各セットピン組３１における第１セットピン３３と第２セットピン３５の間隔Ｌがチューブ５の厚さの２倍とファイバテープ心線３のテープ幅を合わせた長さと同じになるように構成してある。
【００２０】
更に、クランプ蓋１５のクランプ面２１における各セットピン組３１に対応する位置（クランプした際にセットピン組３１の上側付近になる位置）には、チューブファイバ１のチューブ５におけるセットによって盛り上がった部分及び第１，第２セットピン３３，３５の先端部が逃げる逃げ凹部３７がそれぞれ設けてある。
【００２１】
尚、第１，第２セットピン３３，３５の代わりに支持溝１１の溝長手方向に適宜長さを有する第１，第２セットピースを用いてもよく、この場合には第１，第２セットピースは１組で足りる。又、第１，第２セットピン３３，３５を支持溝１１におけるクランプ蓋１５（２５）に対応する位置から外れた位置に設けた場合にあっては、逃げ凹部３７は必ずしも必要ではない。
【００２２】
次に、本発明の実施の形態の作用について説明する。
【００２３】
ファイバテープ心線３のテープ幅方向を支持溝１１の溝幅方向にほぼ平行にした状態の下で、チューブファイバ１を各セットピン組３１における第１セットピン３３と第２セットピン３５の間に押し込みつつ、チューブファイバ１の底部を支持溝１１に支持せしめる。ここで、各セットピン組３１における第１セットピン３３と第２セットピン３５の間隔Ｌがチューブ５の厚さの２倍とファイバテープ心線３のテープ幅を合わせた長さと同じになるように構成したことから、チューブファイバ１をクランプ本体９の所定位置に移動不能にセットすることができる。尚、チューブファイバ１をセットすることによって、チューブファイバ１のチューブ５に盛り上がった部分が生じる。
【００２４】
チューブファイバ１をセットした後に、クランプ蓋１５をクランプ方向へ揺動させて、クランプ蓋１５の先端部をマグネット１７に磁着せしめる。これによって、図４に示すようにチューブファイバ１の一部分に支持底面１３に対して垂直方向の曲げを成形せしめつつ、クランプ蓋１５によりチューブファイバ１をクランプすることができる。ここで、ファイバテープ心線３は、図５に示すように、テープ幅方向と同じ方向に曲がったりすることがなく、テープ幅方向に対して垂直方向へ曲がるという特性を有しているため、チューブファイバ１の一部分に支持平面１３に対して垂直方向の曲げが成形されると、ファイバテープ心線３の一部分も当然のごとく支持平面１３に対して垂直方向の曲げが成形されて、ファイバテープ心線３の周囲に外方向から不定の力が作用しても、ファイバテープ心線３がチューブ５内において回転することがなく、ファイバテープ心線３のテープ幅方向と支持溝１１の溝幅方向の平行状態を保つことができる。又、クランプ蓋１５をクランプ方向へ揺動させると、チューブファイバ１のチューブ５における盛り上がった部分、各セットピン組３１における第１，第２セットピン３３，３５の先端部は逃げ凹部３７に逃げる。
【００２５】
クランプ蓋１５の先端部をマグネット１７に磁着せしめた後に、サブクランプ蓋２５をクランプ方向へ揺動させて、サブクランプ蓋２５の先端部をマグネット２７に磁着せしめる。これによって、クランプ蓋１５及びサブクランプ蓋２５によりチューブファイバ１をより強固にクランプすることができる。
【００２６】
更に、チューブファイバ用クランプ装置７によりチューブファイバ１をクランプした状態の下で、クランプ蓋１５の前方側においてチューブファイバ１に対して端末処理（被覆除去、カッティング等）を行う。
【００２７】
以上のごとき、本発明の実施の形態によれば、チューブファイバ１をクランプ本体９の所定位置に移動不能にセットすることができるため、チューブファイバ１をクランプした際に図３に示すように上方向（図３において紙面に向かって表方向）から見たときにチューブファイバ１のファイバテープ心線３の溝長手方向（図３において上下方向）に対して傾かないようにすることができ、チューブファイバ１の適切な端末処理を容易に行って、チューブファイバ１の端末処理時に光ファイバ心線３ｆに損傷が生じることを極力回避することができる。
【００２８】
又、セットピン組３１がクランプ蓋１５に対応する位置に設けた場合であっても、クランプ蓋１５をクランプ方向へ揺動させると、チューブファイバ１のチューブ５における盛り上がった部分及び各セットピン組３１における第１，第２セットピン３３，３５の先端部が逃げ凹部３７に逃げるため、チューブファイバ１のチューブ５における盛り上がった部分及び各セットピン３１における第１，第２セットピン３３，３５がクランプ蓋１５によるクランプ動作の障害になることはない。
【００２９】
更に、クランプ蓋１５をクランプ方向へ揺動させてチューブファイバ１をクランプするときに、ファイバテープ心線３がチューブ５内において回転することがなく、ファイバテープ心線３のテープ幅方向と支持溝１１の溝幅方向の平行状態を保つことができるため、チューブファイバ１の適切な端末処理をより容易に行うことができる。
【００３０】
【発明の効果】
請求項１に記載の発明によれば、チューブファイバをクランプ本体の所定位置に移動不能にセットすることができるため、チューブファイバをクランプした際に上方向から見たときにチューブファイバのファイバテープ心線が支持溝の溝長手方向に対して傾いたりすることがなく、チューブファイバの適切な端末処理を容易に行って、チューブファイバの端末処理時に光ファイバ心線に損傷が生じることを極力回避することができる。
【００３１】
請求項２に記載の発明によれば、請求項１に記載の発明の効果を奏する他に、セット部材をクランプ蓋に対応する位置に設けた場合であっても、クランプ蓋をクランプ方向へ揺動させると、チューブファイバのチューブにおける盛り上がった部分は逃げ凹部に逃げるため、チューブファイバのチューブにおける盛り上がった部分がクランプ蓋によるクランプ動作の障害になることはない。
【００３２】
請求項３に記載の発明にあっては、請求項１又は請求項２に記載の発明と同様の効果を奏する。
【００３３】
請求項４に記載の発明にあっては、請求項１〜請求項３のうちのいずれかの請求項に記載の発明の効果の他に、クランプ蓋をクランプ方向へ揺動させてチューブファイバをクランプするときに、ファイバテープ心線がチューブ内において回転することはなく、ファイバテープ心線のテープ幅方向と支持溝の溝幅方向の平行状態を保つことができるため、請求項１に記載の発明の効果を更に向上させることができる。
【図面の簡単な説明】
【図１】  本発明の実施の形態に係るチューブファイバ用クランプ装置の斜視図である。
【図２】  チューブファイバをセットした状態を説明する図である。
【図３】  チューブファイバをクランプした状態を示す図である。
【図４】  チューブファイバの一部分を曲げ成形した状態を示す図である。
【図５】  チューブファイバのファイバテープ心線の特性を示す図である。
【図６】  チューブファイバの斜視図である。
【図７】  従来のチューブファイバ用クランプ装置の斜視図である。
【図８】  従来のチューブファイバ用クランプ装置の作用説明図である。
【図９】  従来のチューブファイバ用クランプ装置の作用説明図である。
【図１０】  従来のチューブファイバ用クランプ装置の課題を説明するための図である。
【符号の説明】
１  チューブファイバ
３  ファイバテープ心線
５  チューブ
７  クランプ装置
９  クランプ本体
１１  支持溝
１３  支持平面
１５  クランプ蓋
１９  窪み
２１  クランプ面
２３  曲げ成形部
３１  セットピン組  ３３  第１セットピン
３５  第２セットピン
３７  逃げ凹部
【図１】
0004142833.tif 000002
【図２】
0004142833.tif 000003
【図３】
0004142833.tif 000004
【図４】
0004142833.tif 000005
【図５】
0004142833.tif 000006
【図６】
0004142833.tif 000007
【図７】
0004142833.tif 000008
【図８】
0004142833.tif 000009
【図９】
0004142833.tif 000010
【図１０】
0004142833.tif 000011